【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
中央部が開口された形状を有する導光板と、前記導光板の内壁側から光を入射する光源と、前記導光板の上面側に対して形成され、前記導光板内を伝播する光を反射する反射膜とを有し、前記導光板における前記上面とは逆側の面である光出射面から光を出射する発光部と、
電子機器を着脱自在に保持する機器保持部とを備え、
前記機器保持部は、
前記電子機器を前記光出射面からの光の出射方向側に取り外し可能に構成されていると共に、前記光出射面に平行な面内における中心が、前記光出射面において光が出射される領域である光出射領域よりも内側に位置している
照明装置。
【請求項２】
前記機器保持部が前記光出射領域よりも内側に位置している
請求項１に記載の照明装置。
【請求項３】
商用交流電源に基づき動作電圧を生成する電源回路を内蔵する電源部を備え、
前記発光部が前記電源部に対して着脱自在に取り付けられるように構成されている
請求項１又は請求項２に記載の照明装置。
【請求項４】
前記発光部は、
前記導光板を有する発光本体部と、前記電源部に対して取り付けられる取付バングル部と、前記発光本体部と前記取付バングル部との間を架橋するように接続する複数のブリッジ部とを有する
請求項３に記載の照明装置。
【請求項５】
商用交流電源に基づき動作電圧を生成する電源回路と、
前記電源回路で生成された動作電圧に基づき動作するマイクロコンピュータと、
前記電源回路で生成された動作電圧を前記電子機器に供給するための電力出力端子と、
前記電子機器との間でデータ通信を行うためのデータ通信端子とを備える
請求項１乃至請求項４の何れかに記載の照明装置。
【請求項６】
前記導光板の前記上面に対して光を散乱させるための複数のドット又は溝が形成されている
請求項１乃至請求項５の何れかに記載の照明装置。
【請求項７】
前記ドット又は溝は、前記導光板の内周側から外周側への形成ピッチが一定とされると共に、その大きさが前記導光板の内周側から外周側にかけて徐々に大きくされている
請求項６に記載の照明装置。
【請求項８】
照明装置と電子機器とを備えて構成された照明システムであって、
前記照明装置は、
中央部が開口された形状を有する導光板と、前記導光板の内壁側から光を入射する光源と、前記導光板の上面側に対して形成され、前記導光板内を伝播する光を反射する反射膜とを有し、前記導光板における前記上面とは逆側の面である光出射面から光を出射する発光部と、
電子機器を着脱自在に保持する機器保持部とを備え、
前記機器保持部が、
前記電子機器を前記光出射面からの光の出射方向側に取り外し可能に構成されていると共に、前記光出射面に平行な面内における中心が、前記光出射面において光が出射される領域である光出射領域よりも内側に位置しており、
前記電子機器は、
前記機器保持部によって保持される被保持部を備える
照明システム。
【請求項９】
前記電子機器の前記光の出射方向側の先端が、前記照明装置の前記光の出射方向側の先端よりも前記光の出射方向側に位置するように、前記電子機器における前記被保持部の形成位置、及び前記照明装置における前記機器保持部の形成位置が設定されている
請求項８に記載の照明システム。
【請求項１０】
前記電子機器がカメラ装置又はプロジェクタ装置とされる
請求項９に記載の照明システム。
【手続補正２】
【補正対象書類名】明細書
【補正対象項目名】全文
【補正方法】変更
【補正の内容】
【発明の詳細な説明】
【発明の名称】照明装置、照明システム
【技術分野】
【０００１】
本技術は、電子機器を着脱自在に保持可能な照明装置と、照明装置と電子機器とを備えて構成された照明システムについての技術分野に関する。
【先行技術文献】
【特許文献】
【０００２】
【特許文献１】特開２００４−１８４７６８号公報
【特許文献２】特開２００８−１０４０２２号公報
【背景技術】
【０００３】
上記特許文献１や特許文献２などにあるように、照明装置と電子機器とが組み合わされた照明システムが知られている。
例えば、特許文献１には、照明装置とプロジェクタ装置とを組み合わせた照明システムが開示されている。
この照明システムでは、シーリングライト（天井照明）としての照明装置の上側に対して電子機器を配置している。つまり天井と照明装置との間に電子機器が配置される。照明装置の上側に対して電子機器を配置するのは、照明装置の下側に電子機器が配置されると電子機器により照明装置からの出射光が遮られて光量が低下してしまうことを防止するためである。
【０００４】
特許文献２には、天井照明としての照明装置にマルチサラウンドシステムを構成するための複数のスピーカを一体的に形成した照明システムが開示されている。
この照明システムでは、電子機器を照明装置と同じ高さに配置されている。
【発明の概要】
【発明が解決しようとする課題】
【０００５】
しかしながら、特許文献１のように電子機器を照明装置の上側に配置するシステムでは、電子機器を着脱しようとする際に照明装置を取り外す必要がある。従って、電子機器の着脱が煩わしく、電子機器を自由に換装可能とするには不適である。
【０００６】
また、電子機器を照明装置と同じ高さに配置する特許文献２に記載の照明システムでは、環状に配列された複数のスピーカの個々の間に照明ソケットを配置しているため、光の出射面の面積を確保することが困難であり、個々の照明は所謂スポットライトのような照明となることから、室内全体をムラなく明るくすることが困難である。
【０００７】
そこで、本技術では上記した問題点を克服し、電子機器を取り付け可能な照明システムとして、電子機器を自由に換装可能としながら、良好な照明性能を兼ね備えた照明システムを提供することを目的とする。
【課題を解決するための手段】
【０００８】
本技術に係る照明装置は、第１に、中央部が開口された形状を有する導光板と、前記導光板の内壁側から光を入射する光源と、前記導光板の上面側に対して形成され、前記導光板内を伝播する光を反射する反射膜とを有し、前記導光板における前記上面とは逆側の面である光出射面から光を出射する発光部と、電子機器を着脱自在に保持する機器保持部とを備え、前記機器保持部は、前記電子機器を前記光出射面からの光の出射方向側に取り外し可能に構成されていると共に、前記光出射面に平行な面内における中心が、前記光出射面において光が出射される領域である光出射領域よりも内側に位置しているものである。
【０００９】
上記のような機器保持部により、照明装置を取り外さずに電子機器の取り外しが可能となり、また、電子機器は照明装置の中央部寄りに保持される。
また、上記構造による導光板により、発光部の光出射面は断続した面ではなく連続した比較的大きな面で形成可能となる。
【００１０】
第２に、上記した本技術に係る照明装置においては、前記機器保持部が前記光出射領域よりも内側に位置していることが望ましい。
これにより、光出射面から電子機器に対して照射される光量がより低減される。
【００１１】
第３に、上記した本技術に係る照明装置においては、商用交流電源に基づき動作電圧を生成する電源回路を内蔵する電源部を備え、前記発光部が前記電源部に対して着脱自在に取り付けられるように構成されていることが望ましい。
これにより、故障時等への対応が容易となる。
【００１２】
第４に、上記した本技術に係る照明装置においては、前記発光部は、前記導光板を有する発光本体部と、前記電源部に対して取り付けられる取付バングル部と、前記発光本体部と前記取付バングル部との間を架橋するように接続する複数のブリッジ部とを有することが望ましい。
これにより、発光部を電源部に対して取り付ける際に、使用者がブリッジ部の形成位置を頼りに取付バングル部に形成された電源部への取付部の位置を推測することが可能となる。
【００１３】
第５に、上記した本技術に係る照明装置においては、商用交流電源に基づき動作電圧を生成する電源回路と、前記電源回路で生成された動作電圧に基づき動作するマイクロコンピュータと、前記電源回路で生成された動作電圧を前記電子機器に供給するための電力出力端子と、前記電子機器との間でデータ通信を行うためのデータ通信端子とを備えることが望ましい。
これにより、照明装置から電子機器への給電と、照明装置と電子機器の間でのデータ通信が可能とされる。
【００１４】
第６に、上記した本技術に係る照明装置においては、前記導光板の前記上面に対して光を散乱させるための複数のドット又は溝が形成されていることが望ましい。
これにより、配光パターンのコントロールが容易となる。
【００１５】
第７に、上記した本技術に係る照明装置においては、前記ドット又は溝は、前記導光板の内周側から外周側への形成ピッチが一定とされると共に、その大きさが前記導光板の内周側から外周側にかけて徐々に大きくされていることが望ましい。
これにより、均一な配光が実現される。
【００１６】
本技術に係る照明システムは、第１に、照明装置と電子機器とを備えて構成された照明システムであって、前記照明装置は、中央部が開口された形状を有する導光板と、前記導光板の内壁側から光を入射する光源と、前記導光板の上面側に対して形成され、前記導光板内を伝播する光を反射する反射膜とを有し、前記導光板における前記上面とは逆側の面である光出射面から光を出射する発光部と、電子機器を着脱自在に保持する機器保持部とを備え、前記機器保持部が、前記電子機器を前記光出射面からの光の出射方向側に取り外し可能に構成されていると共に、前記光出射面に平行な面内における中心が、前記光出射面において光が出射される領域である光出射領域よりも内側に位置している。
そして、前記電子機器は、前記機器保持部によって保持される被保持部を備えるものである。
【００１７】
上記本技術に係る照明システムによっても、上記した本技術に係る照明装置と同様に、上記の機器保持部により、照明装置を取り外さずに電子機器の取り外しが可能となり、また電子機器は照明装置の中央部寄りに保持される。
また、上記構造による導光板により、発光部の光出射面は断続した面ではなく連続した比較的大きな面で形成可能となる。
【００１８】
第２に、上記した本技術に係る照明システムにおいては、前記電子機器の前記光の出射方向側の先端が、前記照明装置の前記光の出射方向側の先端よりも前記光の出射方向側に位置するように、前記電子機器における前記被保持部の形成位置、及び前記照明装置における前記機器保持部の形成位置が設定されていることが望ましい。
照明装置の光の出射方向側の先端と電子機器の光の出射方向側の先端との位置関係が適切に設定されることで、電子機器の機能の低下が防止される。
【００１９】
第３に、上記した本技術に係る照明システムにおいては、前記電子機器がカメラ装置又はプロジェクタ装置とされることが望ましい。
カメラ装置又はプロジェクタ装置の光の出射方向側の先端が、照明装置の光の出射方向側の先端よりも光の出射方向側に位置されることで、これらカメラ装置又はプロジェクタ装置の機能の低下が防止される。
【発明の効果】
【００２０】
本技術によれば、電子機器を取り付け可能な照明システムとして、電子機器を自由に換装可能としながら、良好な照明性能を兼ね備えた照明システムを提供できる。
【図面の簡単な説明】
【００２１】
【図１】実施の形態の照明システムの概要を説明するための図である。
【図２】照明装置及び電子機器の外観斜視図である。
【図３】照明装置及び電子機器の正面図である。
【図４】電源部から発光部を取り外した状態の照明装置の外観を表した斜視図である。
【図５】電源部の断面図（図５Ａ）及び底面図（図５Ｂ）である。
【図６】電源部の内部回路構成を説明するためのブロック図である。
【図７】導光板の底面図（図７Ａ）及び発光本体部の底面図（図７Ｂ）である。
【図８】発光本体部の内周部の拡大断面図（図８Ａ）及び発光本体部全体の断面図（図８Ｂ）である。
【図９】導光板に形成されるドットの形成パターンについての説明図である。
【図１０】電源部に形成された発光部保持部の構成と発光部の取り付け手法の説明図である。
【図１１】電源部に対して発光部が取り付けられた状態における照明装置の断面構造図である。
【図１２】電子機器の取り付けについての説明図である。
【図１３】照明装置に対して電子機器が取り付けられた状態における照明装置及び電子機器の断面構造図である。
【図１４】機器保持部の中心と照明装置の中心軸とについての説明図である。
【図１５】照明装置の下端と電子機器の下端との位置関係に係る変形例についての説明図である。
【発明を実施するための形態】
【００２２】
以下、本技術に係る実施の形態について説明する。
なお、説明は以下の順序で行う。
＜１．照明システムの概要＞
＜２．照明装置及び電子機器の構成＞
［2-1．外観及び構成の概要］
［2-2．電源部及び発光部の構成］
＜３．電子機器の取り付けについて＞
＜４．実施の形態のまとめ＞
＜５．変形例＞
＜６．本技術＞
【００２３】
＜１．照明システムの概要＞
図１は、本技術に係る実施の形態としての照明システム１の概要を説明するための図である。
本実施の形態の照明システム１は、照明装置２と、照明装置２を操作するためのリモコン（リモートコントローラ）３と、照明装置２に着脱自在に装着される電子機器４とを備えて構成される。
【００２４】
照明装置２は所謂シーリングライト（天井照明）としての照明装置とされ、室内における天井面１００に対して設けられたシーリングローゼット１００Ａに対して取り付けられる。
照明装置２は、室内を照らすための光を出射する光出射面２Ａを有する。天井照明であるため、光出射面２Ａは室内の床面１０２に対向する面となる。
照明装置２は、シーリングローゼット１００Ａに対して取り付けられることで、商用交流電源の入力が可能となる。照明装置２への商用交流電源の入力のＯＮ／ＯＦＦは、室内の壁面１０１に設けられた壁スイッチ１０１Ａにより行われる。
また、照明装置２は、リモコン３の操作に応じて点灯／消灯、調光の各動作を実行する。なお、照明装置２の点灯／消灯は、壁スイッチ１０１ＡのＯＮ／ＯＦＦ操作に応じても為される。
【００２５】
本実施の形態では、電子機器４として、それぞれ機能の異なる複数種の電子機器４の使用を想定している。電子機器４の例としては、例えばスピーカを備えた音響再生装置、プロジェクタ装置、カメラ装置、イオン発生器、火災報知器、ホームプラネタリウム装置などが挙られる。
これら各種機能の異なる電子機器４には、本例の照明システム１の対応機器として、それぞれに共通構造による被保持部が形成されている。照明装置２においては、このような共通構造による被保持部を着脱自在に保持可能な機器保持部が形成されている。
なお、これら被保持部と機器保持部の詳細は後述する。
【００２６】
なお、本明細書では、シーリングローゼット１００Ａに取り付けられた状態を基準に方向を定義する。すなわち、上方向と言ったときは天井面１００側の方向、下方向と言ったときは床面１０２側の方向を指す。また、上下方向については縦方向とも表記する。
【００２７】
＜２．照明装置及び電子機器の構成＞
［2-1．外観及び構成の概要］
図２，図３は、それぞれ照明装置２及び電子機器４の外観斜視図、正面図である。
照明装置２は、電源部２０と発光部２１とを備えて構成される。電源部２０は略円筒状の外形を有し、発光部２１は中央部が開口された略円盤状の外形を有する。
電源部２０の上面における中央部には、図１に示したシーリングローゼット１００Ａに対して取り付けられる照明側ローゼット２００が設けられている。
【００２８】
なお、本例の照明装置２は、発光部２１が電源部２０に対して着脱可能とされる。これら電源部２０と発光部２１の構成の詳細については後に改めて説明する。
【００２９】
電子機器４は、上部ユニット４１と下部ユニット４２とを有すると共に、これら上部ユニット４１と下部ユニット４２との間が例えば板状などとされた接続部４３によって接続されている。
上部ユニット４１においては、略円盤状の外形を有するベース板４１ｄ上に略円筒状の外形を有する上部筐体部４１ｕが形成されている。上部筐体部４１ｕの上面の中央部には、上部筐体部４１ｕよりも小径とされた略円筒形状の凸部が形成されている。
ベース板４１ｄの径は上部筐体部４１ｕの径よりも僅かに大きくされ、これによりベース板４１ｄの上面が上記の径の差に応じたオフセットＳｔ（図３参照）の分だけ外界に表出している。
【００３０】
上部筐体部４１ｕの側面には、複数の被保持部材４１０が形成されている。被保持部材４１０は、照明装置２に取り付けられた際に、照明装置２側に設けられた後述する機器保持部材２０３と係合されて電子機器４を照明装置２に被保持の状態とするために設けられた部材である。
被保持部材４１０は、それぞれ略Ｌ字型の部材とされ、Ｌ字の背の部分に当たる直線部がベース板４１ｄの面内方向に平行となり、Ｌ字の背の部分に対して直交する直線部の先端面がベース板４１ｄの上面に対して当接するように形成されている。
本例の場合、被保持部材４１０は所定間隔を開けて３つ形成されている。具体的に、被保持部材４１０，４１０，４１０は、１２０°の間隔で形成されている。
【００３１】
また、電子機器４には、照明装置２との間で電気的な接続を行うためのコネクタ４１Ｓも設けられている。本例の場合、コネクタ４１Ｓは、上部筐体部４１ｕの上面側から引き出されたケーブルの先端部に形成されている。
【００３２】
［2-2．電源部及び発光部の構成］
図４〜図９を参照し、電源部２０と発光部２１の構成について説明する。
図４は、電源部２０から発光部２１を取り外した状態の照明装置２の外観を表した斜視図、図５は電源部２０の断面図（図５Ａ）及び底面図（図５Ｂ）を表す。
電源部２０は、その略円筒状の筐体の側面を構成する側壁部２０１を有する。側壁部２０１を含む電源部２０の筐体は、例えば樹脂製とされる。
図５Ａの断面図に表すように、電源部２０は、その下部において内部に略円筒状の空洞部が形成されている。この空洞部は、取り付け時に電子機器４の上部筐体部４１ｕを格納するためのスペースとして機能する。
電源部２０においてこの空洞部の上部と接する面を、電源部２０の底面２０Ｄと表記する。
【００３３】
電源部２０の側壁部２０１は、その下端部が薄肉とされている。この薄肉とされた部分を側壁下端部２０１Ａと表記する。側壁下端部２０１Ａは、側壁部２０１の下端部が外周側から削られたように形成されており、従って側壁部２０１においては、側壁下端部２０１Ａの形成部分に対応して内周側に凸となる段差部２０１Ｂが形成されている。
【００３４】
側壁下端部２０１Ａには、発光部２１を着脱自在に保持するための発光部保持部２０２が複数設けられている（図４，図５Ｂ参照）。本例の場合、発光部保持部２０２は１２０°の間隔を開けて３つが設けられている。また、各発光部保持部２０２は、側壁下端部２０１Ａの下端部に対して設けられている。
なお、発光部保持部２０２の詳細な構成については後述する。
【００３５】
電源部２０の底面２０Ｄには、発光部２１に対し発光に必要な電力を供給するための電力出力端子Ｔｌ-outと、電子機器４への動作電圧を供給するための電力出力端子Ｔｋ-outと、電子機器４との間でデータ通信を行うためのデータ通信端子Ｔｄとが形成されている（図５Ｂ参照）。
【００３６】
ここで、電源部２０の内部には、図６のブロック図に示すように、電源回路２０ａ、マイコン（マイクロコンピュータ）２０ｂ、及び発光駆動部２０ｃが備えられる。
電源回路２０ａには、照明側ローゼット２００に設けられた電力入力端子Ｔｉｎを介して商用交流電源が入力される。電源回路２０ａは、入力された商用交流電源に基づき、発光駆動部２０ｃを動作させるための駆動用動作電圧、及びマイコン２０ｂを動作させるためのマイコン用動作電圧、及び電子機器４を動作させるための機器用動作電圧を生成する。機器用動作電圧は電力出力端子Ｔｋ-outに供給される。
【００３７】
発光駆動部２０ｃは、駆動用動作電圧に基づき、発光部２１に備えられた後述する発光素子２１７Ａを発光駆動するための駆動信号を生成する。発光駆動部２０ｃは、当該駆動信号として、マイコン２０ｂからの指示に応じた駆動信号を生成する。駆動信号は、電力出力端子Ｔｌ-outに供給される。
マイコン２０ｂは、発光駆動部２０ｃに対する点灯／消灯や調光などの指示を行うと共に、データ通信端子Ｔｄを介した電子機器４側とのデータ通信を行う。マイコン２０ｂは、電子機器４側とのデータ通信の結果に基づき発光駆動部２０ｃに対する指示を行うことで、電子機器４の動作状態に連動させて発光部２１の発光動作を制御することが可能とされる。
【００３８】
なお、上記では発光駆動部２０ｃが電源部２０に対して設けられ、電力出力端子Ｔｌ-outを介して発光部２１側に駆動信号が供給される例を示したが、発光駆動部２０ｃは発光部２１側に設けられてもよく、その場合には電力出力端子Ｔｌ-outには電源回路２０ａで生成された駆動用動作電圧が供給される。
何れにせよ、電源出力端子Ｔｌ-outには、発光に必要とされる電力が供給されればよい。
【００３９】
図５Ｂにおいて、電源部２０が有する側壁下端部２０１Ａの内側面には、電子機器４を着脱自在に保持するための機器保持部材２０３が複数形成されている。本例では電子機器４側に設けられた被保持部材４１０，４１０，４１０に対応させて、機器保持部材２０３としては１２０°間隔で３つ設けられている。本例の機器保持部材２０３はピン状の部材とされる。
なお、機器保持部材２０３を用いた電子機器４の取り付けについては後述する。
【００４０】
続いて、発光部２１について説明する。
図４において、発光部２１は、中央部が開口部２１３Ｂとして開口された略円盤状の外形を有する発光本体部２１Ａと、発光本体部２１Ａの開口部２１３Ｂ内の中央部に配置されるリング状の取付バングル部２１４と、発光本体部２１Ａと取付バングル部２１４との間を架橋するように接続する複数のブリッジ部２１５とを有する。
また、発光部２１には、電源部２０から発光に必要な電力の供給を受けるためのコネクタ２１Ｓも設けられる。コネクタ２１Ｓは、発光部２１の所定位置から引き出されたケーブルの先端部に対して設けられている。このコネクタ２１Ｓ内には、電源部２０側に形成された電力出力端子Ｔｌ-outと接続される端子が形成されている。コネクタ２１Ｓが電源部２０に対して接続されることで、これらの端子が接続状態となる。
【００４１】
発光本体部２１Ａは、導光板２１１と、導光板２１１の上面側に形成された反射膜２１２と、導光板２１１の内周部分を覆うように形成されたカバー２１３とを有する。
【００４２】
図７及び図８は、発光本体部２１Ａについての説明図であり、図７Ａは導光板２１１の底面図、図７Ｂは発光本体部２１Ａの底面図、図８Ａは発光本体部２１Ａの内周部の拡大断面図、図８Ｂは発光本体部２１Ａ全体の断面図である。
図７Ａに示すように、導光板２１１は中央部が開口部２１１Ｂとして開口された略円盤状の外形を有する。導光板２１１は、例えば透明樹脂などの透明材料で構成されている。
導光板２１１の所定位置には、複数のピン挿入口２１１Ａが形成されている。本例では、ピン挿入口２１１Ａが４つ形成されている。
【００４３】
カバー２１３は、その底面及び上面が環状の形状を有し、面内方向の中央に開口部２１３Ｂを有する。図８Ａ，図８Ｂから理解されるように、カバー２１３は、その一部を切断した際の断面形状が略コの字型とされる。このコの字型の形状は、その一部を切断した際の断面形状がそれぞれＬ字型とされる上側カバー部材２１３ｕと下側カバー部材２１３ｄとの組み合わせで形成されている（図８Ａ参照）。
上側カバー部材２１３ｕは、上面部２１３ｕ’と、該上面部２１３ｕ’から下側に直角に折り曲げられるように形成された側面部２１３ｕ’’とを有する。また、下側カバー部材２１３ｄは、下面部２１３ｄ’と、該下面部２１３ｄ’から上側に直角に折り曲げられるように形成された側面部２１３ｄ’’とを有する。
上側カバー部材２１３ｕにおける側面部２１３ｕ’’と下側カバー部材２１３ｄにおける側面部２１３ｄ’’とが重ね合わされることで、上述した略コの字の型の形状が実現される。本例の場合、側面部２１３ｕ’’の方が側面部２１３ｄ’’よりも外周側に位置されている。
【００４４】
側面部２１３ｕ’’の外周側の面には、複数の発光素子２１７Ａと、それら発光素子２１７Ａを発光させるための配線が形成された基板部２１７Ｂとで構成された発光ユニット２１７が形成されている。基板部２１７Ｂは、側面部２１３ｕ’’が周状に形成されていることに対応してフレキシブル基板が採用されている。本例の場合、発光素子２１７ＡはＬＥＤ（発光ダイオード）とされる。
【００４５】
導光板２１１の上面に対しては、反射膜２１２が形成されている。また、導光板２１１の上記上面とは逆側の面、すなわち室内への光出射面２Ａとなる面には、その内周部の所定領域に反射膜２１８が形成されている。反射膜２１８は、下側カバー部材２１３ｄが接合された際に下面部２１３ｄ’の外周側端部よりも外側にはみ出さないように形成されている。
なお、導光板２１１の上面とは、導光板２１１が有する当該導光板２１１の面内方向に平行な２つの面のうちの一方の面と換言できる。また、導光板２１１が有する光出射面２Ａは、上記一方の面とは逆側の面と換言できる。
【００４６】
発光本体部２１Ａにおいては、上記のように反射膜２１２，２１８が形成された導光板２１１の内周部が、カバー２１３の内部に形成されたコの字型の空間内に位置するようにされている。具体的に、導光板２１１は、その内壁２１１Ｃとカバー２１３内に設けられた発光素子２１７Ａの発光面２１７Ａ’とが対向するようにして、その内周部がカバー２１３内部の空間内に位置している。
【００４７】
ここで、下側カバー部材２１３ｄの下面部２１３ｄ’には、図７Ｂの各位置に示す４つのピン２１３Ａが形成されている。
図８Ａに示した発光本体部２１Ａとしての構造は、例えば反射膜２１２，２１８が形成された状態の導光板２１１を反射膜２１２が形成された面において上側カバー部材２１３ｕと接合し、その後、導光板２１１に形成されたピン挿通口２１１Ａに対してピン２１３Ａを挿入するようにして下側カバー部材２１３ｄを導光板２１１に接合することで実現される。なお、このために、ピン挿通口２１１Ａとピン２１３Ａの形成位置は正確に位置決めされている。
【００４８】
なお、カバー２１３は、例えばアルミ等の金属製とされ、発光素子２１７Ａの発光に伴い生じた熱についての放熱機能を有する。
【００４９】
ここで、上記のように構成された発光本体部２１Ａにおいては、発光素子２１７Ａより発せられた光（発散光）が導光板２１１の内壁２１１Ｃに対して入射する。これにより、導光板２１１内部では内周側から外周側へと光が伝播する傾向となる。
このとき、導光板２１１の上面側には反射膜２１２が形成され、また導光板２１１の下面側の内周側一部には反射膜２１８が形成されていることから、上記のように入射した光はこれら反射膜２１２，２１８での反射の作用により導光板２１１の光出射面２Ａから出射される（図８Ｂ参照）。このとき、導光板２１１の内周部はカバー２１３で覆われているので、光出射面２Ａにおいては、カバー２１３で覆われた領域よりも外周側となる領域において光が出射される。この領域を、図８Ｂに示すように光出射領域Ａｓと表記する。
【００５０】
本実施の形態における導光板２１１には、室内への配光ムラを抑制するための工夫が施されている。この点について、図９を参照して説明する。
図９Ａは、導光板２１１の上面図である。
図のように導光板２１１の上面には、複数のドットＤｔが形成されている。このドットＤｔは、例えば白色とされ、印刷により形成されている。なお、反射膜２１２は、このようにドットＤｔが形成された導光板２１１の上面に対して形成されるものである。
このドットＤｔによって、導光板２１１内を伝播する光を散乱させることができる。
【００５１】
ドットＤｔは、導光板２１１の上面において放射状に形成されており、内周側から外周側への形成ピッチが一定とされている。同時に、ドットＤｔは、その大きさが導光板２１１の内周側から外周側にかけて徐々に大きくされている。
【００５２】
図９Ｂは、発光素子２１７Ａからの距離（ｃｍ）とドット径（μｍ）との関係を例示した図である。なお、発光素子２１７Ａからの距離は、発光面２１７Ａ’の形成位置を最内周位置（０ｃｍ）としたときの距離を意味する。
この図９Ｂに示されるように、本例における発光素子２１７Ａからの距離とドット径との関係は、０．０ｃｍ地点＝５２３μｍ、２．１ｃｍ地点＝５５４μｍ、４．３ｃｍ地点＝６２７μｍ、６．４ｃｍ地点＝７１９μｍ、８．５ｃｍ地点＝８１０μｍ、１０．６ｃｍ地点＝８８５μｍ、１２．８ｃｍ地点＝９３８μｍ、１４．９ｃｍ地点＝９６６μｍ、１７．０ｃｍ地点＝９７５μｍとされている。
【００５３】
上記のように放射状に形成されたドットＤｔについて、内周側から外周側への形成ピッチを一定とし、且つ内周側から外周側にかけてその大きさを徐々に大きくしていることで、光出射面２Ａから出射される光について、均一な配光が実現される。
【００５４】
続いて、電源部２０に対する発光部２１の取り付けに係る構成について説明する。
図４において、取付バングル部２１４は、発光部２１を電源部２０に対して取り付けるために設けられる。
取付バングル部２１４の内周側面には、電源部２０への取り付けを可能とするための複数の被保持部材２１６が形成されている。本例の場合、被保持部材２１６は、電源部２０に形成された発光部保持部２０２，２０２，２０２に対応させて、１２０°の間隔を開けて３つを設けている。これら被保持部材２１６は、ピン状の部材とされている。
前述のように、取付バングル部２１４は、ブリッジ部２１５によって発光本体部２１Ａに対して取り付けられている。本例の場合、ブリッジ部２１５は３つ設けられ、これら３つのブリッジ部２１５は、同じく３つ設けられた発光部保持部２０２の形成位置と対応する角度位置にそれぞれ形成されている。具体的に、この場合のブリッジ部２１５，２１５，２１５は、それぞれ発光部保持部２０２，２０２，２０２と同じ角度位置に形成されている。
【００５５】
ここで、取付バングル部２１４の内径は、電源部２０の側壁下端部２０１Ａの外径と略一致している。
【００５６】
図１０により、電源部２０に形成された発光部保持部２０２の構成と、発光部２１の取り付け手法とについて説明する。
図１０Ａ、図１０Ｂは、発光部保持部２０２の正面図、断面図をそれぞれ表す。
発光部保持部２０２は、それぞれ矩形状とされた第１薄肉部２０２Ａ、第２薄肉部２０２Ｂ、開口部２０２Ｃを有する。図１０Ｂに示すように、第１薄肉部２０２Ａは、側壁下端部２０１Ａが内周側から削られように薄肉化された部分として形成されており、第２薄肉部２０２Ｂは、側壁下端部２０１Ａが外周側から削られるように薄肉化された部分として形成されている。第２薄肉部２０２Ｂが形成された部分は、側壁下端部２０１Ａの外周側の面上において内周側に凸となる溝部となる。
開口部２０２Ｃは、側壁下端部２０１Ａにおける第１薄肉部２０２Ａの形成部分の上部が矩形状に開口されて形成されている。
第２薄肉部２０２Ｂは、その縦方向の長さが第１薄肉部２０２Ａの縦方向の長さよりも長くされ、第２薄肉部２０２Ｂの上端と開口部２０２Ｃの上端の高さが一致している。
【００５７】
図１０Ｃ〜図１０Ｅは、発光部２１の取り付けについての説明図である。
先ず、使用者は、発光部２１を電源部２０に対して取り付けるとしたときは、コネクタ２１Ｓを電源部２０の底面２０Ｄに設けられた所定の接続部に接続して、コネクタ２１Ｓに形成された端子と電力出力端子Ｔｌ-outとが接続されるようにする。
その上で、使用者は、取付バングル部２１４を電源部２０の側壁下端部２０１Ａに対して当てがう。このとき、被保持部材２１６，２１６，２１６と発光部保持部２０２との位置関係が適切でないと、被保持部材２１６，２１６，２１６が側壁下端部２０１Ａの下端に当たり、発光部２１をそれ以上押し上げることができない状態となる。これは、前述したように被保持部材２１６が形成された取付バングル部２１４の内径と側壁下端部２０１Ａの外径とが略一致しているためである。
【００５８】
このように被保持部材２１６，２１６，２１６が側壁下端部２０１Ａの下端に当たった状態では取り付けが不能なため、使用者は、発光部２１を回転させる。すると、或る程度回転が進んだ時点で、被保持部材２１６，２１６，２１６がそれぞれ発光部保持部２０２，２０２，２０２の第２薄肉部２０２Ｂ，２０２Ｂ，２０２Ｂの形成位置に一致する状態が得られる（図１０Ｃ）。
前述のように側壁下端部２０１Ａにおいて第２薄肉部２０２Ｂ，２０２Ｂ，２０２Ｂが形成された部分は内周側に凸の溝部となる。このため、上記のように被保持部材２１６，２１６，２１６がそれぞれ第２薄肉部２０２Ｂ，２０２Ｂ，２０２Ｂの形成位置に一致した状態で発光部２１を押し上げると、被保持部材２１６，２１６，２１６を第２薄肉部２０２Ｂ，２０２Ｂ，２０２Ｂに沿って上方向に移動させることができる。
ここで、被保持部材２１６，２１６，２１６としてのピンの長さは、上記のように第２薄肉部２０２Ｂ，２０２Ｂ，２０２Ｂ上を移動する際に、ピンの先端が第２薄肉部２０２Ｂ，２０２Ｂ，２０２Ｂ上を或る程度の押圧力をもって摺動するように設定されている。このとき、第２薄肉部２０２Ｂ，２０２Ｂ，２０２Ｂは、薄肉状とされたことで、上記のような被保持部材２１６，２１６，２１６の摺動に応じて内周側に撓むようになっている。
【００５９】
発光部２１をさらに押し上げると、被保持部材２１６，２１６，２１６が第２薄肉部２０２Ｂ，２０２Ｂ，２０２Ｂの上端に達し、再び発光部２１の押し上げが不能な状態となる（図１０Ｄ）。
この状態から、発光部２１を反時計回り方向に回転させると、被保持部材２１６，２１６，２１６が開口部２０２Ｃ，２０２Ｃ，２０２Ｃに挿入される（図１０Ｅ）。
このとき、第２薄肉部２０２Ｂ，２０２Ｂ，２０２Ｂの撓みが解消することで、開口部２０２Ｃ，２０２Ｃ，２０２Ｃに挿入された被保持部材２１６，２１６，２１６がロックされる。
これにより、発光部２１の電源部２０に対する取り付けが完了する。
【００６０】
なお、発光部２１を取り外す際には、図１０Ｅの状態から発光部２１を時計回り方向に回転させることで、発光部保持部２０２，２０２，２０２による被保持部材２１６，２１６，２１６のロック状態を解除し、その後、発光部２１を引き下げることで被保持部材２１６，２１６，２１６が発光部保持部２０２，２０２，２０２から引き抜かれるようにすればよい。
【００６１】
図１１は、電源部２０に対して発光部２１が取り付けられた状態における照明装置２の断面構造図である。なお、この図では、主に発光部２１の取り付けに係る部分のみを抽出して示している。
この図からも分かるように、発光部２１の電源部２０への取り付けは、電源部２０の側壁下端部２０１Ａの下端部の外周側に形成された段差部２０１Ｂに対して取付バングル部２１４が嵌合するようにして行われる。
【００６２】
＜３．電子機器の取り付けについて＞
図１２は、電子機器４の取り付けについての説明図である。
図１２Ａは、電子機器４において被保持部材４１０が形成された部分を拡大して示した正面図てあり、図１２Ｂは、図１２Ａに示す部分の上視図である。
先の図２及び図３では説明を省略したが、電子機器４における上部ユニット４１のベース板４１ｄには、その下端部に全周にわたってフランジ部４１２が形成されている。ベース板４１ｄにおいて、このフランジ部４１２が形成された部分を除く部分のことを、以下、ベース板上部４１１と表記する。
【００６３】
図１２Ｂに示すように、電子機器４において被保持部材４１０が形成された部分を上視すると、フランジ部４１２が最も外周側に位置し、その内周側にベース板上部４１１と被保持部材４１０とが位置し、さらに内周側に上部筐体部４１ｕが位置していることが分かる。
【００６４】
ここで、ベース板上部４１１の外径は、照明装置２（電源部２０）における側壁下端部２０１Ａの内径と略一致するように設定されている。
【００６５】
被保持部材４１０の構造については先に説明した通りであるが、ここでは、略Ｌ字型の外形を有する被保持部材４１０の形成により生じた溝部、すなわち被保持部材４１０におけるＬ字の背の部分に当たる直線部の下面とベース板上部４１１の上面との間に生じた空間を、溝部４１０Ａと表記する（図１２Ａ）。
【００６６】
以上を踏まえ、照明装置２に対する電子機器４の取り付けについて説明する。
先ず、電子機器４を照明装置２に対して取り付ける際には、使用者は、コネクタ４１Ｓを電源部２０の底面２０Ｄに設けられた所定の接続部に接続して、コネクタ４１Ｓに形成された電力入力用、データ通信用の各端子と電力出力端子Ｔｋ-out、データ通信端子Ｔｄとが接続されるようにする。
その上で、使用者は、電子機器４のベース板上部４１１を電源部２０の側壁下端部２０１Ａに対して当てがう。上述のようにベース板上部４１１の外径は側壁下端部２０１Ａの内径と略一致するようにされており、またベース板上部４１１のさらに上部に形成された上部筐体部４１ｕの外径はベース板上部４１１の外径よりも小さいため、上記のようにベース板上部４１１を側壁下端部２０１Ａに対して当てがうと、側壁下端部２０１Ａの内側の空洞部にベース板上部４１１から上側の部分を挿入することが可能となる。
このとき、側壁下端部２０１Ａの内側に形成された機器保持部材２０３，２０３，２０３としてのピンの長さは、少なくともオフセットＳｔ（上部筐体部４１ｕとベース板上部４１１との径差に応じたオフセット）の長さ以内に抑えられている（図１２Ｂ参照）。このため、側壁下端部２０１Ａの内側の空洞部にベース板上部４１１から上側の部分を挿入することができる。
またこのとき、ベース板４１ｄに設けられたフランジ部４１２により、電子機器４が前記空洞部に必要以上に押し込まれてしまうことが防止される。
【００６７】
上記のようにベース板上部４１１から上側の部分を側壁下端部２０１Ａの内側の空洞部に挿入した状態で電子機器４を回転させると、図１２Ａや図１２Ｂに示すように、機器保持部材２０３，２０３，２０３を、電子機器４側の被保持部材４１０，４１０，４１０の付近に位置させることができる。
なお、この図１２Ａの状態からも分かるように、側壁下端部２０１Ａにおいて機器保持部材２０３，２０３，２０３が形成される縦方向の位置は、上記のようにベース板上部４１１から上側の部分を側壁下端部２０１Ａの内側の空洞部に挿入した状態において、機器保持部材２０３，２０３，２０３が被保持部材４１０，４１０，４１０の溝部４１０Ａ，４１０Ａ，４１０Ａと同じ高さに位置するように設定されている。
【００６８】
図１２Ａ及び図１２Ｂの状態から電子機器４をさらに半時計周り方向に回転させると、機器保持部材２０３，２０３，２０３が溝部４１０Ａ，４１０Ａ，４１０Ａ内を通過し、図１２Ｃに示すように機器保持部材２０３，２０３，２０３が溝部４１０Ａ，４１０Ａ，４１０Ａの最奥部に到達することで、それ以上電子機器４を回転させることができない状態となる。
これにより、照明装置２に対する電子機器４の取り付けが完了する。
【００６９】
なお、電子機器４を取り外す際には、図１２Ｃの状態から電子機器４を時計回り方向に回転させることで、機器保持部材２０３，２０３，２０３が溝部４１０Ａ，４１０Ａ，４１０Ａ内から脱するようにした上で、電子機器４を引き下げればよい。
【００７０】
図１３は、照明装置２に対して電子機器４が取り付けられた状態における照明装置２及び電子機器４の断面構造図である。なお、この図では、主に電子機器４の取り付けに係る部分のみを抽出して示している。
この図からも分かるように、電子機器４の照明装置２への取り付けは、電源部２０の側壁下端部２０１Ａの内周側において電子機器４が保持されることで行われる。
また、この図によれば、フランジ部４１２の上面が側壁下端部２０１Ａの下端に当接して、電子機器４の不要な押し込みが防止されることが分かる。
【００７１】
ここで、本実施の形態では、照明装置２において電子機器４を保持する機器保持部２０５の中心Ｃｊが、照明装置２の光出射面２Ａの光出射領域Ａｓよりも内側に位置するようにされている。
図１４Ａは、照明装置２における機器保持部２０５の概念を表している。なお、この図１４Ａでは、電源部２０の側壁下端部２０１Ａを機器保持部材２０３，２０３，２０３が形成された高さ位置で切断した際の断面構造を示している。
この図に示すように、機器保持部材２０３，２０３，２０３が形成されて電子機器４を保持するように構成された部分が、照明装置２における機器保持部２０５である。
【００７２】
機器保持部２０５の中心Ｃｊとは、図１４Ａに示されるように、機器保持部２０５の面内中心を意味する。これは、機器保持部２０５における光出射面２Ａに平行な面内における中心とも換言できる。
【００７３】
図１４Ｂは、照明装置２の中心軸Ｃｌを説明するための図である。
本例のように中央に開口部２１３Ｂを有する略円盤状の発光部２１を設け、開口部２１３Ｂの中央部に電源部２０を配置した構成を採る場合には、照明装置２の中心軸Ｃｌは、発光部２１の面内中心を通る軸に一致する。
本例の場合、略円筒形状による電源部２０の中心軸は照明装置２の中心軸Ｃｌに対して一致しており、従って、機器保持部２０５の中心Ｃｊとしても、照明装置２の中心軸Ｃｌに一致している。
このため、機器保持部２０５の中心Ｃｊは光出射面２Ａの光出射領域Ａｓよりも内側にあり、且つ、機器保持部２０５自体も光出射領域Ａｓより内側に存在している。
【００７４】
＜４．実施の形態のまとめ＞
上記のように本実施の形態の照明システム１では、照明装置２が以下のように構成されている。
すなわち、照明装置２は、中央部が開口された形状を有する導光板２１１と、導光板２１１の内壁２１１Ｃ側から光を入射する発光素子２１７Ａと、導光板２１１の上面側に形成され導光板２１１内を伝播する光を反射する反射膜２１２とを有し、導光板２１１における光出射面２Ａから光を出射する発光部２１と、電子機器４を着脱自在に保持する機器保持部２０５とを備える。
そして、機器保持部２０５が、電子機器４を光出射面２Ａからの光の出射方向側（つまり下側）に取り外し可能に構成されていると共に、中心Ｃｊが、光出射領域Ａｓよりも内側に位置しているものである。
【００７５】
上記のような機器保持部２０５により、照明装置２をシーリングローゼット１００Ａから取り外さずに電子機器４の取り外しが可能となり、また、電子機器４は照明装置２の中央部寄りに保持される。
従って、電子機器４が照明装置の上側に位置される場合のように換装が困難となることがなく、電子機器４を自由に換装できる。
また、電子機器４が照明装置２の中央部寄りに保持されるため、光出射面から出射された光が電子機器４に妨げられることによる光量ロスを低減できる。
【００７６】
また、上記構造による導光板２１１により、光出射面２Ａは断続した面ではなく連続した比較的大きな面で形成可能となる。従って、室内全体を明るくできる。
さらに、導光板２１１の内壁２１１Ｃから光を入射するため、配光を外向き傾向にでき、照明装置２に保持された電子機器４に光出射面２Ａから出射された光が当たり難くできる。従って、室内への光の照射ムラを生じ難くでき、室内全体をムラなく明るくできる。
【００７７】
このように本実施の形態によれば、電子機器を取り付け可能な照明システムとして、電子機器を自由に換装可能としながら、良好な照明性能を兼ね備えた照明システムを提供できる。
【００７８】
また、本実施の形態では、機器保持部２０５を光出射領域Ａｓよりも内側に位置させている。
これにより、光出射面２Ａから電子機器４に対して照射される光量がより低減され、光量ロスをより抑制できる。
【００７９】
さらに、本実施の形態では、商用交流電源に基づき動作電圧を生成する電源回路２０ａを内蔵する電源部２０を備え、発光部２１が電源部２０に対して着脱自在に取り付けられるように構成されている。
これにより、故障時等への対応が容易となり、メンテナンス性に優れた照明システムを実現できる。
【００８０】
さらにまた、本実施の形態では、発光部２１において、発光本体部２１Ａと取付バングル部２１４との間を架橋するように接続する複数のブリッジ部２１５を設けている。
これにより、発光部２１を電源部２０に対して取り付ける際に、使用者がブリッジ部２１５の形成位置を頼りに取付バングル部２１４に形成された電源部２０への取付部（被保持部材２１６）の位置を推測することが可能となり、電源部２０への発光部２１の取り付けを容易化できる。
特に、本例ではブリッジ部２１５と取付バングル部２１４に形成された被保持部材２１６とを同じ角度位置に形成しているため、取り付け時における被保持部材２１６の位置の把握がより容易となり、発光部２１の取り付け容易性をさらに増すことができる。
【００８１】
加えて、本実施の形態では、照明装置２が電源回路２０ａとマイコン２０ｂとを備え、電源回路２０ａで生成された動作電圧を電子機器４に供給するための電力出力端子Ｔｋ-outと、電子機器４との間でデータ通信を行うためのデータ通信端子Ｔｄとを備えるようにしている。
これにより、照明装置２から電子機器４への給電と、照明装置２と電子機器４の間でのデータ通信が可能とされる。
このように照明装置２から電子機器４に給電し、照明装置２と電子機器４の間でのデータ通信を可能とするシステムを構築することで、例えばマイコン２０ｂによって非正規品の電子機器４には給電を行わないといった制御を行うことが可能となり、安全性の高いシステムを実現できる。
また、照明装置２と電子機器４の間でのデータ通信が可能とされることで、電子機器４の動作状態に連動させて発光部２１の点灯／消灯や調光の制御を行うことが可能となる。
【００８２】
また、本実施の形態では、導光板２１１の上面に対して光を散乱させるための複数のドットＤｔを形成するようにしている。
これにより、配光パターンのコントロールが容易となる。
ここで、導光板２１１で光を散乱させるには、導光板２１１として拡散剤を混練して生成したものを用いることもできるが、拡散剤の混練度合を正確にコントロールすることは困難であり、従って配光パターンのコントロールが困難である。上記のようにドットＤｔによって光を散乱させる手法を採ることで、ドットＤｔの形成パターンによって比較的容易に配光パターンをコントロールすることができる。
【００８３】
さらに、本実施の形態では、ドットＤｔは、導光板２１１の内周側から外周側への形成ピッチが一定とされると共に、その大きさが導光板２１１の内周側から外周側にかけて徐々に大きくされている。
これにより、均一な配光が実現され、室内への光の照射ムラを防止できる。
【００８４】
＜５．変形例＞
本技術は、上記により説明した具体例に限定されるべきものではなく、多様な変形例が考えられるものである。
例えば、これまでの説明では、電子機器４が照明装置２に取り付けられた際、電子機器４におけるフランジ部４１２から下の部分が、照明装置２の下端よりも下側に位置する例を挙げた。
すなわち、図１５Ａに示すように照明装置２の下端Ｍ２と電子機器４の下端Ｍ４とを定義すると、電子機器４の下端Ｍ４が照明装置２の下端Ｍ２よりも下側に位置していたものである。
なお、「下端」は、光出射面２Ａからの「光の出射方向」を基準とすると、「光の出射方向側の先端」と換言できるものである。実施の形態で例示した照明装置２の下端Ｍ２は、側壁下端部２０１の先端と一致する。
【００８５】
しかしながら、電子機器４の下端Ｍ４が必ずしも照明装置２の下端Ｍ２よりも下側に位置する必要はない。
例えば、電子機器４が音響再生装置とされる場合であって、この音響再生装置の下端にスピーカの放音口が位置している場合を想定してみる。この場合、音響再生装置としての電子機器４が照明装置２に取り付けられた状態で、スピーカの放音口が電源部２０の下端（つまり下端Ｍ２）に対して僅かに上側に位置していたとしても、放音口の前面に遮るものがなければ、放音が適正に行われることになる。すなわち、機器の性能を低下させることはない。
従って、このような場合には、電子機器４の下端Ｍ４が照明装置２の下端Ｍ２よりも上側（或いは同位置）にあってもよい。
【００８６】
なお、実施の形態で例示したように電子機器４の下端Ｍ４が照明装置２の下端Ｍ２よりも下側にあることが望ましいケースとしては、電子機器４がカメラ装置やプロジェクタ装置とされる場合を挙げることができる。
例えば、カメラ装置の場合は、撮像視野内に照明装置２の一部が映り込むことは一種の機能の低下を意味することになるので、少なくとも電子機器４の下端Ｍ４が照明装置２の下端Ｍ２よりも下側にあることが望ましい。
また、プロジェクタ装置の場合も、投射される像の一部が照明装置２によって遮られることは機能の低下を意味するので、少なくとも電子機器４の下端Ｍ４が照明装置２の下端Ｍ２よりも下側に位置することが望ましい。
【００８７】
このように、照明装置２の下端Ｍ２と電子機器４の下端Ｍ４との位置関係を電子機器４の種類に応じて適切に設定することで、電子機器４の機能の低下を防止し、電子機器４の機能を十分に発揮させることができる。
【００８８】
ここで、下端Ｍ２と下端Ｍ４の位置関係は、電子機器４における被保持部（被保持部材４１０，４１０，４１０の形成部：以下「被保持部４０５」と表記）の形成位置と、照明装置２における機器保持部２０５の形成位置とで定まる。この場合の形成位置とは、縦方向における形成位置を指すことは言うまでもない。
図１５Ａに、電子機器４の下端Ｍ４が照明装置２の下端Ｍ２よりも上側に位置される場合の被保持部４０５と機器保持部２０５の形成位置の例を示しておく。
【００８９】
なお、電子機器４の種類の例としては、音響再生装置やプロジェクタ装置、カメラ装置等のこれまでに例示したものに限定されない。
本技術における電子機器としては、天井付近に取り付けられることでより機能を発揮できるものが好適である。
【００９０】
また、照明装置２及び電子機器４の外形や各部の構造等についても例示したものに限定されない。
例えば、電子機器４の着脱を可能とするための構成については、例示したようなピンとその受け部とを組み合わた機構には限定されず、例えば磁力を用いた着脱機構など、他の構成による実現が可能である。何れにせよ、電子機器４の着脱を可能とするための構成については特定の構成に限定されず、多様な構成を採り得るものである。
なお、この点は、電源部２０に対する発光部２１の着脱についても同様である。
【００９１】
また、導光板２１１の上面にドットＤｔを形成して光を散乱させる例を挙げたが、ドットＤｔの代わりに溝を形成してもよい。この場合の溝は、例えばレーザによるカッティングで形成できる。このようにドットＤｔに代えて溝を形成することによっても、ドットＤｔを形成する場合と同様の効果が得られる。
【００９２】
また、電子機器４の動作状態に応じた発光部２１の制御については、多様に考えられる。例えば、電子機器４が音響再生装置である場合等には、再生される曲調に応じて発光部２１の調光制御を行うこともできる。また、電子機器４の動作開始／停止に応じて発光部２１を所定の点滅パターンで発光させるなどの制御を行うこともできる。
【００９３】
＜６．本技術＞
なお、本技術は以下のような構成を採ることもできる。
（１）
中央部が開口された形状を有する導光板と、前記導光板の内壁側から光を入射する光源と、前記導光板の上面側に対して形成され、前記導光板内を伝播する光を反射する反射膜とを有し、前記導光板における前記上面とは逆側の面である光出射面から光を出射する発光部と、
電子機器を着脱自在に保持する機器保持部とを備え、
前記機器保持部は、
前記電子機器を前記光出射面からの光の出射方向側に取り外し可能に構成されていると共に、前記光出射面に平行な面内における中心が、前記光出射面において光が出射される領域である光出射領域よりも内側に位置している
照明装置。
（２）
前記機器保持部が前記光出射領域よりも内側に位置している
前記（１）に記載の照明装置。
（３）
商用交流電源に基づき動作電圧を生成する電源回路を内蔵する電源部を備え、
前記発光部が前記電源部に対して着脱自在に取り付けられるように構成されている
前記（１）又は（２）に記載の照明装置。
（４）
前記発光部は、
前記導光板を有する発光本体部と、前記電源部に対して取り付けられる取付バングル部と、前記発光本体部と前記取付バングル部との間を架橋するように接続する複数のブリッジ部とを有する
前記（３）に記載の照明装置。
（５）
商用交流電源に基づき動作電圧を生成する電源回路と、
前記電源回路で生成された動作電圧に基づき動作するマイクロコンピュータと、
前記電源回路で生成された動作電圧を前記電子機器に供給するための電力出力端子と、
前記電子機器との間でデータ通信を行うためのデータ通信端子とを備える
前記（１）乃至（４）の何れかに記載の照明装置。
（６）
前記導光板の前記上面に対して光を散乱させるための複数のドット又は溝が形成されている
前記（１）乃至（５）の何れかに記載の照明装置。
（７）
前記ドット又は溝は、前記導光板の内周側から外周側への形成ピッチが一定とされると共に、その大きさが前記導光板の内周側から外周側にかけて徐々に大きくされている
前記（６）に記載の照明装置。
（８）
照明装置と電子機器とを備えて構成された照明システムであって、
前記照明装置は、
中央部が開口された形状を有する導光板と、前記導光板の内壁側から光を入射する光源と、前記導光板の上面側に対して形成され、前記導光板内を伝播する光を反射する反射膜とを有し、前記導光板における前記上面とは逆側の面である光出射面から光を出射する発光部と、
電子機器を着脱自在に保持する機器保持部とを備え、
前記機器保持部が、
前記電子機器を前記光出射面からの光の出射方向側に取り外し可能に構成されていると共に、前記光出射面に平行な面内における中心が、前記光出射面において光が出射される領域である光出射領域よりも内側に位置しており、
前記電子機器は、
前記機器保持部によって保持される被保持部を備える
照明システム。
（９）
前記電子機器の前記光の出射方向側の先端が、前記照明装置の前記光の出射方向側の先端よりも前記光の出射方向側に位置するように、前記電子機器における前記被保持部の形成位置、及び前記照明装置における前記機器保持部の形成位置が設定されている
前記（８）に記載の照明システム。
（１０）
前記電子機器がカメラ装置又はプロジェクタ装置とされる
前記（９）に記載の照明システム。
【符号の説明】
【００９４】
１…照明システム、２…照明装置、２Ａ…発光面、４…電子機器、４０５…被保持部、４１０…被保持部材、２０…電源部、２０３…機器保持部材、２０５…機器保持部、２０ａ…電源回路、２０ｂ…マイコン、Ｔｋ-out…電力出力端子、Ｔｄ…データ通信端子、２１…発光部、２１Ａ…発光本体部、２１１…導光板、２１２…反射膜、２１４…取付バングル部、２１５…ブリッジ部、２１７Ａ…発光素子、Ｄｔ…ドット、Ａｓ…光出射領域
【手続補正３】
【補正対象書類名】図面
【補正対象項目名】図９
【補正方法】変更
【補正の内容】
【図９】
2014207184.tif 000001